(57)【要約】【課題】  撮影された画像に対して複数の画像効果を容易に付与可能とし、所望する画像効果が付与された画像を選択して保存可能とする。【解決手段】  撮影前にお気に入り効果として１つ以上の画像効果を選択しておく。撮像デバイス１３９は、撮影された映像を撮り込み、ＪＰＥＧフォーマットなどへエンコードしてＲＡＭ１３５に一旦保存する。画像処理制御部１３４は、お気に入り効果として選択されている画像効果を、元画像に施し、各画像のサムネイルを生成して表示部１０２に一覧表示する。そして、ユーザにより選択された、画像効果が施された画像を保存する。【選択図】  図１
2006074558.tif 000002
【特許請求の範囲】
【請求項１】
表示手段と、
画像データを記憶する記憶手段と、
前記記憶手段に記憶された画像データに対して、１つ以上の画像効果を施す画像処理手段と、
前記画像処理手段によって１つ以上の画像効果が施された画像データの縮小画像を前記表示手段に一覧表示する表示制御手段と、
前記表示制御手段により前記表示手段に表示された縮小画像から１つ以上の保存対象となる画像データを選択する選択手段と、
前記選択手段により選択された縮小画像に対応する、画像効果が施された画像データを前記記憶手段に記憶する記憶制御手段と
を具備することを特徴とする画像処理装置。
【請求項２】
前記表示制御手段は、
前記画像処理手段により画像処理が施された画像データの数に基づいて、前記表示手段への縮小画像の一覧表示数を制御することを特徴とする請求項１記載の画像処理装置。
【請求項３】
前記画像処理手段は、画像効果の強弱を調整する画像効果強弱調整手段を具備することを特徴とする請求項１または２記載の画像処理装置。
【請求項４】
前記画像処理手段は、前記画像データにおける画像効果の適用領域を切り替える切替手段を具備することを特徴とする請求項１または２記載の画像処理装置。
【請求項５】
撮像手段を更に具備し、
前記画像データは前記撮像手段によって撮像された画像データであることを特徴とする請求項１乃至４の何れかに記載の画像表示装置。
【請求項６】
メモリに記憶された画像データに対して、１つ以上の画像効果を施す画像処理ステップと、
この画像処理ステップにより画像効果が施された１つ以上の画像データの縮小画像を表示部に一覧表示させる表示制御ステップと、
この表示制御ステップにより一覧表示された縮小画像から１つ以上の保存対象となる画像データを選択する選択ステップと、
前記選択ステップにより選択された縮小画像に対応する、画像効果が施された画像データを前記メモリに記憶させる記憶制御ステップと
からなることを特徴とする画像処理方法。
【請求項７】
前記表示制御ステップは、前記画像処理ステップにより画像処理が施された画像データの数に基づいて、前記表示部への縮小画像の一覧表示数を制御するステップを含むことを特徴とする請求項６記載の画像処理方法。
【請求項８】
前記画像処理ステップにより施される画像効果の強弱を調整する画像効果強弱調整ステップをさらに含むことを特徴とする請求項６または７記載の画像処理方法。
【請求項９】
前記画像処理ステップにより施される画像効果の適用領域を切り替える切替ステップをさらに含むことを特徴とする請求項６または７に記載の画像処理方法。
【請求項１０】
メモリに記憶された画像データに対して、１つ以上の画像効果を施す画像処理ステップと、
この画像処理ステップにより画像効果が施された１つ以上の画像データの縮小画像を表示部に一覧表示させる表示制御ステップと、
この表示制御ステップにより一覧表示された縮小画像から１つ以上の保存対象となる画像データを選択する選択ステップと、
前記選択ステップにより選択された縮小画像に対応する、画像効果が施された画像データを前記メモリに記憶させる記憶制御ステップと
をコンピュータに実行させることを特徴とする画像処理プログラム。
【発明の詳細な説明】
【技術分野】
【０００１】
本発明は、画像処理装置、画像処理方法、および、画像処理プログラムに関する。
【背景技術】
【０００２】
近年、携帯電話においては、静止画を撮影する機能を有するカメラ付き携帯電話が一般的になってきており、さらには、撮影時、あるいは撮影後の画像に対して種々の画像効果を付与する画像処理機能を備えているものが実現されている。撮影時の画像効果としては、セピア処理したり、ネガ反転処理したりすることができるようになっており、撮影後の画像効果としては、モザイク処理などがある。
【０００３】
ところで、このような携帯電話では、撮影時もしくは撮影後の画像データに付与する画像効果を如何に容易に選択することができるかで、ユーザ負担が大きく異なる。例えば、従来技術としては、操作手段の回動操作および押下操作に応じて撮像した画像を容易に保存する技術が提案されている（例えば特許文献１参照）。
【０００４】
【特許文献１】特開２００２−２８１１５０号公報
【発明の開示】
【発明が解決しようとする課題】
【０００５】
しかしながら、従来のカメラ付き携帯電話では、撮影時または撮影後の画像に対して１つの画像効果しか付与できないという問題があった。また、画像効果によっては、モニタでは確認できない場合があるため、それらの画像効果を搭載することができず、撮影後に設定しなければならず、操作が煩雑になるという問題があった。
【０００６】
そこで本発明は、撮影等により取得された画像データに対して複数の画像効果を容易に付与することができ、画像効果が付与された複数の画像データの中から所望する画像効果が付与された画像データを選択して保存することができる画像処理装置、画像処理方法および画像処理プログラムを提供することを目的とする。
【課題を解決するための手段】
【０００７】
上記目的達成のため、請求項１記載の発明による画像処理装置は、表示手段と、画像データを記憶する記憶手段と、前記記憶手段に記憶された画像データに対して、１つ以上の画像効果を施す画像処理手段と、前記画像処理手段によって１つ以上の画像効果が施された画像データの縮小画像を前記表示手段に一覧表示する表示制御手段と、前記表示制御手段により前記表示手段に表示された縮小画像から１つ以上の保存対象となる画像データを選択する選択手段と、前記選択手段により選択された縮小画像に対応する、画像効果が施された画像データを前記記憶手段に記憶する記憶制御手段とを具備することを特徴とする。
【０００８】
また、好ましい態様として、例えば請求項２記載のように、請求項１記載の画像処理装置において、前記表示制御手段は、前記画像処理手段により画像処理が施された画像データの数に基づいて、前記表示手段への縮小画像の一覧表示数を制御するようにしてもよい。
【０００９】
また、好ましい態様として、例えば請求項３記載のように、請求項１または２記載の画像処理装置において、前記画像処理手段は、画像効果の強弱を調整する画像効果強弱調整手段を具備するようにしてもよい。
【００１０】
また、好ましい態様として、例えば請求項４記載のように、請求項１または２記載の画像処理装置において、前記画像処理手段は、前記画像データにおける画像効果の適用領域を切り替える切替手段を具備するようにしてもよい。
【００１１】
また、好ましい態様として、例えば請求項５記載のように、請求項１乃至４の何れかに記載の画像表示装置において、撮像手段を更に具備し、前記画像データは前記撮像手段によって撮像された画像データであってもよい。
【００１２】
また、上記目的達成のため、請求項６記載の発明による画像処理方法は、メモリに記憶された画像データに対して、１つ以上の画像効果を施す画像処理ステップと、この画像処理ステップにより画像効果が施された１つ以上の画像データの縮小画像を表示部に一覧表示させる表示制御ステップと、この表示制御ステップにより一覧表示された縮小画像から１つ以上の保存対象となる画像データを選択する選択ステップと、前記選択ステップにより選択された縮小画像に対応する、画像効果が施された画像データを前記メモリに記憶させる記憶制御ステップとからなることを特徴とする。
【００１３】
また、好ましい態様として、例えば請求項７記載のように、請求項６記載の画像処理方法において、前記表示制御ステップは、前記画像処理ステップにより画像処理が施された画像データの数に基づいて、前記表示部への縮小画像の一覧表示数を制御するステップを含むようにしてもよい。
【００１４】
また、好ましい態様として、例えば請求項８記載のように、請求項６または７記載の画像処理方法において、前記画像処理ステップにより施される画像効果の強弱を調整する画像効果強弱調整ステップをさらに含むようにしてもよい。
【００１５】
また、好ましい態様として、例えば請求項９記載のように、請求項６または７に記載の画像処理方法において、前記画像処理ステップにより施される画像効果の適用領域を切り替える切替ステップをさらに含むようにしてもよい。
【００１６】
また、上記目的達成のため、請求項１０記載の発明による画像処理プログラムは、メモリに記憶された画像データに対して、１つ以上の画像効果を施す画像処理ステップと、この画像処理ステップにより画像効果が施された１つ以上の画像データの縮小画像を表示部に一覧表示させる表示制御ステップと、この表示制御ステップにより一覧表示された縮小画像から１つ以上の保存対象となる画像データを選択する選択ステップと、前記選択ステップにより選択された縮小画像に対応する、画像効果が施された画像データを前記メモリに記憶させる記憶制御ステップとをコンピュータに実行させることを特徴とする。
【発明の効果】
【００１７】
請求項１記載の発明によれば、表示手段と、画像データを記憶する記憶手段と、画像処理手段により、前記記憶手段に記憶された画像データに対して、１つ以上の画像効果を施し、表示制御手段により、１つ以上の画像効果が施された画像データの縮小画像を前記表示手段に一覧表示し、選択手段により、一覧表示された縮小画像から１つ以上の保存対象となる画像データを選択されると、記憶制御手段により、選択された縮小画像に対応する、画像効果が施された画像データを前記記憶手段に記憶するようにしたので、画像データに対して複数の画像効果を容易に付与することができ、画像効果が付与された複数の画像データの中から所望する画像効果が付与された画像データを選択して保存することができるという利点が得られる。
【００１８】
請求項２記載の発明によれば、請求項１に記載の発明において、前記表示制御手段により、前記画像処理手段により画像処理が施された画像データの数に基づいて、前記表示手段への縮小画像の一覧表示数を制御するようにしたので、画像データに対して複数の画像効果を容易に付与することができ、画像効果が付与された複数の画像データの中から所望する画像効果が付与された画像データを選択して保存することができることに加え、画像処理による画像効果を容易に確認することができるという利点が得られる。
【００１９】
請求項３載の発明によれば、請求項１または２記載の発明において、前記画像処理手段は、画像効果強弱調整手段により、画像効果の強弱を調整するようにしたので、画像データに対して複数の画像効果を容易に付与することができ、画像効果が付与された複数の画像データの中から所望する画像効果が付与された画像データを選択して保存することができることに加え、画像効果にバリエーションを持たせることができるという利点が得られる。
【００２０】
請求項４記載の発明によれば、請求項１または２記載の発明において、前記画像処理手段は、切替手段により、前記画像データにおける画像効果の適用領域を切り替えるようにしたので、画像データに対して複数の画像効果を容易に付与することができ、画像効果が付与された複数の画像データの中から所望する画像効果が付与された画像データを選択して保存することができることに加え、画像効果の適用範囲にバリエーションを持たせることができるという利点が得られる。
【００２１】
請求項５記載の発明によれば、請求項１乃至４の何れかに記載の発明において、ようにしたので、前記画像データを、撮像手段によって撮像された画像データとしたので、撮影等により取得された画像データに対して複数の画像効果を容易に付与することができ、画像効果が付与された複数の画像データの中から所望する画像効果が付与された画像データを選択して保存することができるという利点が得られる。
【００２２】
請求項６記載の発明によれば、画像処理ステップで、メモリに記憶された画像データに対して、１つ以上の画像効果を施し、表示制御ステップで、画像効果が施された１つ以上の画像データの縮小画像を表示部に一覧表示し、選択ステップで、一覧表示された縮小画像から１つ以上の保存対象となる画像データを選択し、記憶制御ステップで、選択された縮小画像に対応する、画像効果が施された画像データを前記メモリに記憶させるようにしたので、画像データに対して複数の画像効果を容易に付与することができ、画像効果が付与された複数の画像データの中から所望する画像効果が付与された画像データを選択して保存することができるという利点が得られる。
【００２３】
請求項７記載の発明によれば、請求項６記載の発明において、前記表示制御ステップに、前記画像処理ステップにより画像処理が施された画像データの数に基づいて、前記表示部への縮小画像の一覧表示数を制御するステップを含むようにしたので、画像データに対して複数の画像効果を容易に付与することができ、画像効果が付与された複数の画像データの中から所望する画像効果が付与された画像データを選択して保存することができることに加え、画像処理による画像効果を容易に確認することができるという利点が得られる。
【００２４】
請求項８記載の発明によれば、請求項６または７記載の発明において、画像効果強弱調整ステップで、前記画像処理ステップにより施される画像効果の強弱を調整するようにしたので、画像データに対して複数の画像効果を容易に付与することができ、画像効果が付与された複数の画像データの中から所望する画像効果が付与された画像データを選択して保存することができることに加え、画像効果にバリエーションを持たせることができるという利点が得られる。
【００２５】
請求項９記載の発明によれば、請求項６または７に記載の発明において、切替ステップで、前記画像処理ステップにより施される画像効果の適用領域を切り替えるようにしたので、画像データに対して複数の画像効果を容易に付与することができ、画像効果が付与された複数の画像データの中から所望する画像効果が付与された画像データを選択して保存することができることに加え、画像効果の適用範囲にバリエーションを持たせることができるという利点が得られる。
【００２６】
請求項１０記載の発明によれば、メモリに記憶された画像データに対して、１つ以上の画像効果を施す画像処理ステップと、この画像処理ステップにより画像効果が施された１つ以上の画像データの縮小画像を表示部に一覧表示させる表示制御ステップと、この表示制御ステップにより一覧表示された縮小画像から１つ以上の保存対象となる画像データを選択する選択ステップと、前記選択ステップにより選択された縮小画像に対応する、画像効果が施された画像データを前記メモリに記憶させる記憶制御ステップとをコンピュータに実行させるようにしたので、画像データに対して複数の画像効果を容易に付与することができ、画像効果が付与された複数の画像データの中から所望する画像効果が付与された画像データを選択して保存することができるという利点が得られる。
【発明を実施するための最良の形態】
【００２７】
以下、本発明の実施の形態を、カメラ付き携帯電話に適用した一実施例として、図面を参照して説明する。
【００２８】
Ａ．第１実施形態
Ａ−１．第１実施形態の構成
図１は、本発明の実施形態によるカメラ付き携帯電話１の外観図（開状態：正面図、側面図）である。携帯電話１は、蓋部２と本体部３とからなる二つ折り構造である。スピーカ１０１は、蓋部２の前面側に設けられており、電話モードにおける通話時には音声出力を行う。表示部（メイン表示部）１０２は、縦３２０×横２４０ドットの表示面積を有したＱＶＧＡの解像度のカラー液晶であり、ユーザが正規に操作する場合は、縦長の表示形態で撮影した画像やダウンロードした画像、最大Ｌサイズ（縦１４４ドット×横１７６ドットで表示される正規の縦横比サイズ）の動画が表示可能である。また、このメイン表示部１０２は、横長にした表示形態で縦２４０ドット×横３２０ドットの動画が表示可能である。アンテナ１０３は、本体部３の背面に設けられており、伸縮自在となっている。
【００２９】
本体部３の前面には、カメラキー１０４、メールキー１０５、十字キー１０６、決定キー１０７、アドレスキー１０８、ネット接続キー１０９、クリアキー１１０、オンフックキー１１１とオフフックキー１１２、テンキー１１３が設けられている。これらのキーにおいて、十字キー１０６、決定キー１０７、アドレスキー１０８、ネット接続キー１０９は、この携帯電話１を右手で握持した場合、当該右手の親指で操作可能な位置に配置されている。また、本体部３の側面には、蓋部２を閉じた状態で動画撮影を開始するためのシャッターキー１１３ｂが設けられている。
【００３０】
カメラキー１０４は、電源オン状態におけるカメラモードへの移行、後述するＤＳＰ１４０の起動を指示するためのキーである。特に、以下に説明する実施形態では、画像効果を選択する際のお気に入り効果選択画面で前のメニュー画面に戻るためのキー、サムネイル一覧表示画面での全画面表示するためのキー、効果調整画面での画像効果を減ずるキー、効果調整処理へ移行するためのキーとして用いられる。
【００３１】
メールキー１０５は、メールモードへの移行、メールプログラムのロードを指示するためのキーである。十字キー１０６は、カーソルの移動、フォーカス（選択）の移動を指示するためのキーである。決定キー１０７は、モード選択を決定したり、選択を決定したり、撮影モードでのシャッターキーとして用いられるキーである。
【００３２】
アドレスキー１０８は、アドレス帳データを表示するためのキーである。特に、以下に説明する実施形態では、サブメニューを閉じるためのキー、お気に入り効果選択画面で選択した画像効果を決定するためのキー、画像効果が付与された画像データを保存するためのキー、効果調整画面での画像効果を増加させるためのキー、画像効果を付与する領域のサイズを変更するためのキーとして用いられる。
【００３３】
ネット接続キー１０９は、インターネットへ接続するためのキーである。クリアキー１１０は、選択などをキャンセルするためのキーである。オンフックキー１１１は、回線を接続するためのキーである。オフフックキー１１２は、電話モード／カメラモード兼用電源オフキー、電話モード立ち上げ用電源オンキー、回線を切断するためのキーである。テンキー１１３は、文字入力やダイアル入力を行うためのキーである。マイク１１４は、本体部３の下部に設けられており、通話時における音声入力を行う。カードスロット（カバー）１１５は、外部記録メディア（例えば、ｍｉｎｉＳＤカード）を装着するスロットである。
【００３４】
蓋部２の背面には、サブ表示部１１６が設けられており、携帯電話１が閉じられた状態において、日時表示や、着信報知、メール着信報知、静止画や動画撮影時の補助画面などに用いられる他、カメラモードにおいては、後述する撮像レンズ１１８にて逐次撮り込まれる画像をモニタ表示するためのファインダーとして機能する。報知用ＬＥＤ１１７は、発光することにより着信報知、メール着信報知を行う。撮像レンズ１１８は、静止画や動画を撮影する。フラッシュ用ＬＥＤ１１９は、静止画や動画撮影時に発光し、露出不足を防止するための発光手段である。報知スピーカ１２０は、着信や緊急時などを報知する他、カメラモードにおいては被写対象に聞こえるようにシャッター音を出力するものである。１２１はバッテリバックである。
【００３５】
次に、図２は、上述したカメラ付き携帯電話１の構成を示すブロック図である。図において、無線送受信部１３０は、無線によりアンテナ１０３を介して音声やデータ（メールデータ）を送受し変調／復調するなど、ＰＳＫ方式に基づく変復調、ＣＤＭＡ方式に基づく端末認証処理を含む通信処理を行う。
【００３６】
通信制御部１３１は、ＷＷＷ接続制御を含む当該機器を制御する。通信データ処理部１３１１は、ＣＥＬＰ系音声復号処理回路、パケットデータ生成回路、およびパケットデータ復元回路を含み、通信プロトコルに沿ったデータ処理を行う。オーディオインターフェース１３１２は、通信データ処理部１３１１で処理される音声信号の入出力処理を行い、マイク１１４からの音声を入力して音声信号に変換して、音声信号をスピーカ１０１から出力する。
【００３７】
システムＲＯＭ１３２は、図３に示すようなデータ構造を有し、主に無線通信処理全般を制御するための基本ＯＳやプロトコルプログラムを格納するプロトコル・プログラムエリア、端末の認証に必要な各種データ（加入者ＩＤを含む）などを格納する不揮発性設定データエリアからなる。ＲＡＭ１３３は、図４に示すようなデータ構造を有し、通信処理に関連するドライバやワークエリアからなる。
【００３８】
画像処理制御部１３４は、撮影時または再生時における動画／静止画に対する、ＭＰＥＧ（ＭＰＥＧ４）／ＪＰＥＧエンコードおよびデコード処理全般を行う。特に、以下に述べる実施形態では、撮影した画像データの縮小画像（サムネイル）の生成、撮影した画像に対する画像効果の付与などを行う。
【００３９】
ＲＡＭ１３５は、図５に示すデータ構造を有し、アプリケーションヒープ（システムリソース領域）等を有するワークエリア、ユーザデータなどを格納するバックアップエリア、ファイルシステムを格納するシステム管理エリア、キャッシュメモリエリア、その他のエリアからなる。プログラムＲＯＭ１３６は、書き換え可能なＦｌａｓｈ  ＲＯＭで構成され、図６に示すようなデータ構造を有し、画像・イラスト・フォントなどを格納するデータエリア、ユーザデータ管理データやファイルシステム管理データなどを格納するファイルシステムエリア、データやプログラムなどを格納する辞書エリア、ＵＩプログラムエリアからなる。
【００４０】
表示モジュール系ドライバ１３７は、表示バッファを含み、サブ表示部１１６、メイン表示部１０２、報知用ＬＥＤ１１７、フラッシュ用ＬＥＤ１１９を駆動させる。ステップモータ１３８は、撮像レンズ１１８のズーム制御を行う。撮像デバイス１３９は、有効画素２００万画素相当のＣＣＤ、若しくはＣＭＯＳで構成され、撮像レンズ１１８により集束された映像をカラー画像として取り込み、Ａ／Ｄ変換を行ってカメラ内信号処理部１４０のＲＡＭ１５０に順次出力する。ＤＳＰ１５１は、カメラ内信号処理部１４０に含まれており、撮像デバイス１３９にて撮り込まれ、ＲＡＭ１５０に順次記憶される撮像データを、設定されたフレームレートに応じて切り出して読み出しストリームデータを生成する。
【００４１】
音源ＩＣ１４２は、着信音などを生成する。アンプ１４３は、音源ＩＣ１４２からの音声信号を増幅し、報知スピーカ１２０から出力する。コネクタ１４４は、外部記録媒体（例えばｍｉｎｉＳＤカードなど）１４５を装着する。外部インターフェースコントローラ１４６は、ＵＳＢインターフェース、１８芯コネクタの両方のインターフェースを切り替え、外部機器との間でデータの送受信を制御する。ユーザメモリ１４９は、図７に示すようなデータ構造を有し、ダウンロードしたデータや、撮影した画像データ、動画ファイル、メールデータ、アドレス帳データなどを格納するデータエリア、リードオンリエリア、ファイルシステム管理データからなる。アドレスデータバス処理部１２３は、通信制御部１３１、画像処理制御部１３４のアドレス制御、バスのデータの流れを制御する。
【００４２】
Ａ−２．第１実施形態の動作
次に、上述したカメラ付き携帯電話の動作について説明する。図８ないし図１１は、本第１実施形態におけるカメラ付き携帯電話の動作を示すフローチャートである。また、図１２ないし図１６は、本第１実施形態によるカメラ付き携帯電話１における画面例を示す模式図である。
【００４３】
まず、撮影モードが起動されると、画像処理制御部１３４より、ステップモータ１３８、撮像デバイス１３９、及び、カメラ内信号処理部１４０（ＤＳＰ１５１）を起動する（ステップＳ１０）。次に、撮像デバイス１３９で撮影された映像を、カメラ内信号処理部１４０などを介して、メイン表示部１０２にスルー表示する（ステップＳ１２）。
【００４４】
次に、シャッターボタン（決定キー１０７）の操作が検出されたか否かを判断し（ステップＳ１４）、シャッターボタン（決定キー１０７）の操作が検出されない場合には、メニュー選択の操作が検出されたか否かを判断し（ステップＳ１６）、メニュー選択の操作が検出されない場合には、終了キーの操作が検出されたか否かを判断する（ステップＳ１８）。そして、終了キーの操作が検出されない場合には、ステップＳ１２へ戻り、スルー表示を継続する。
【００４５】
一方、メニュー選択の操作が検出された場合には、図１２に示すメニュー画面を表示する（ステップＳ２０）。メニュー画面では、フレーム、撮影効果、マクロ設定、セルフタイマ設定、ホワイトバランスなどを設定するための項目一覧と、選択された項目の設定処理へ移行するためのＯＫボタン（決定キー１０７に対応）３００、メニューを閉じてスルー表示へ戻るための閉じるボタン（アドレスキー１０８）３０１とが表示される。なお、以下では、撮影効果についてのみ説明する。
【００４６】
メニュー画面を表示すると、十字キー（カーソル移動）１０６の操作に応じて、選択位置を移動し（ステップＳ２２）、ＯＫボタン（決定キー１０７）３００の操作が検出されたか否かを判断する（ステップＳ２４）。ＯＫボタン３００が操作されない場合には、閉じるボタン（アドレスキー１０８）３０１が操作されたか否かを判断する（ステップＳ２６）。そして、閉じるボタン３０１も操作されなかった場合には、ステップＳ２２へ戻る。一方、閉じるボタン３０１が操作された場合には、メニューを閉じ（ステップＳ２８）、ステップＳ１２へ戻り、上述した処理を継続する。
【００４７】
一方、ＯＫボタン（決定キー１０７）３００が操作された場合には、撮影効果が選択されたか否かを判断し（ステップＳ３０）、撮影項目以外が選択されてＯＫボタン３００が操作された場合には、対応する処理へ進む（ステップＳ３２）。
【００４８】
一方、撮影項目が選択された場合には、図１３に示す撮影効果選択画面を表示する（ステップＳ３４）。撮影効果選択画面では、モノトーン、セピア、ネガ反転、お気に入り、解除などの設定可能な撮影効果の一覧と、選択された項目の設定処理へ移行するためのＯＫボタン（決定キー１０７に対応）３００、メニューを閉じてスルー表示へ戻るための閉じるボタン（アドレスキー１０８）３０１とが表示される。なお、以下では、お気に入りについてのみ説明する。
【００４９】
撮影効果選択画面を表示すると、十字キー（カーソル移動）１０６の操作に応じて、選択位置を移動し（ステップＳ３６）、ＯＫボタン（決定キー１０７）３００の操作が検出されたか否かを判断する（ステップＳ３８）。ＯＫボタン３００が操作されない場合には、閉じるボタン（アドレスキー１０８）３０１が操作されたか否かを判断する（ステップＳ４０）。そして、閉じるボタン３０１も操作されなかった場合には、ステップＳ３６へ戻る。一方、閉じるボタン３０１が操作された場合には、撮影効果選択画面を閉じ（ステップＳ４２）、ステップＳ２０へ戻り、上述した処理を継続する。
【００５０】
一方、ＯＫボタン（決定キー１０７）３００が操作された場合には、お気に入りが選択されたか否かを判断し（ステップＳ４４）、お気に入り以外が選択されてＯＫボタン３００が操作された場合には、対応する処理へ進む（ステップＳ４６）。
【００５１】
一方、お気に入りが選択された場合には、図１４に示すお気に入り効果選択画面を表示する（ステップＳ４８）。お気に入り効果選択画面では、モノトーン、セピア、ネガ反転、モザイク、残像、ゆがみ、漆喰、きらきらなどの撮影後の画像データに施すことが可能な撮影効果の一覧と、図１３に示す撮影効果選択画面に戻るための戻るボタン３０２（カメラキー１０４）、画像効果を選択するための選択ボタン３０３（決定キー１０７）、選択した画像効果をお気に入りとして決定するための決定ボタン３０４（アドレスキー１０８）とが表示される。
【００５２】
お気に入り効果選択画面を表示すると、十字キー（カーソル移動）１０６の操作に応じて、選択位置を移動し（ステップＳ５０）、選択ボタン３０３（決定キー１０７）の操作が検出されたか否かを判断する（ステップＳ５２）。選択ボタン３０３が操作されない場合には、戻るボタン３０２（カメラキー１０４）が操作されたか否かを判断し（ステップＳ５４）、戻るボタン３０２が操作されない場合には、決定ボタン３０４（アドレスキー１０８）が操作されたか否かを判断する（ステップＳ５６）。いずれのボタンも操作されない場合には、ステップＳ５０へ戻り、上述した処理を繰り返す。
【００５３】
一方、選択ボタン３０３が操作された場合には、カーソル位置の画像効果を選択済（項目の先頭のボックスを塗り潰す）とし（ステップＳ５８）、ステップＳ５０へ戻る。以下、選択ボタン３０３が操作されるたびに、そのとき選択されていた画像効果をお気に入り効果として選択済としていく。なお、既に選択済みの画像効果で選択ボタン３０３が操作された場合には未選択とする（ボックスを白とする）。本実施形態では、最大８つの画像効果をお気に入り効果として選択することができるようになっている。
【００５４】
一方、戻るボタン３０２（カメラキー１０４）の操作が検出された場合には、ステップＳ２０へ戻り、上述した処理を継続する。また、決定ボタン３０４（アドレスキー１０８）の操作が検出された場合には、ステップＳ１２へ戻り、上述した処理を継続する。
【００５５】
上述した処理により、お気に入りとして、最大８つの画像効果を登録しておくことができる。これらの画像効果は、撮影した直後の画像に施されるようになっており、画像効果が施された（１つ以上の）画像データを選択的に保存できるようになっている。
【００５６】
次に、撮影時、撮影後の動作について説明する。上述した撮影モードにおいて、シャッターボタン（決定キー１０７）が押下されると、撮像画像をエンコードしてＲＡＭ１３５に保存する（ステップＳ６０）。次に、撮像画像に前述した処理により選択されたお気に入り効果を施し（ステップＳ６２）、オリジナルの撮像画像を含めた、画像効果が施された画像のサムネイルを作成し（ステップＳ６４）、図１５に示すように、作成したサムネイルの一覧画面（３×３）を表示する（ステップＳ６６）。
【００５７】
該サムネイル一覧画面には、オリジナルの撮像画像のサムネイルを含めた、お気に入り効果として選択された画像効果が施された画像のサムネイルが表示される。また、該サムネイル一覧画面には、サムネイルを全画面表示するための表示ボタン３０５（カメラキー１０４）、保存したいものを選択するための選択ボタン３０６（決定キー１０７）、および選択した画像を保存するための保存ボタン３０７（アドレスキー１０８）が表示される。
【００５８】
サムネイル一覧画面を表示すると、十字キー（カーソル移動）１０６の操作に応じて、ハイライト画像を移動し（ステップＳ６８）、選択ボタン３０６（決定キー１０７）の操作が検出されたか否かを判断する（ステップＳ７０）。選択ボタン３０６が操作されない場合には、表示ボタン３０５（カメラキー１０４）が操作されたか否かを判断する（ステップＳ７２）。そして、表示ボタン３０５も操作されなかった場合には、保存ボタン３０７（アドレスキー１０８）の操作が検出されたか否かを判断する（ステップＳ７４）。そして、いずれも操作されない場合には、ステップＳ６８へ戻る。
【００５９】
一方、選択ボタン３０６（決定キー１０７）が操作された場合には、そのとき選択されていたサムネイル上に選択された旨を示すマーク（図示では★印）を表示して選択済として（ステップＳ７６）、ステップＳ６８へ戻る。
【００６０】
また、表示ボタン３０５（カメラキー１０４）が操作された場合には、図１６に示すように、ハイライト画像を全画面表示し（ステップＳ７８）、戻るボタン３０８（アドレスキー１０８）の操作が検出されたか判断し（ステップＳ８０）、戻るボタン３０８が操作されると、ステップＳ６６へ戻り、図１５に示すサムネイル一覧画面へ戻る。
【００６１】
また、保存ボタン３０７（アドレスキー１０８）が操作された場合には、それまでに選択されたサムネイルに対応する画像、すなわちお気に入り効果に選択された画像効果が施された画像を全て保存し（ステップＳ８２）、図８に示すステップＳ１２へ戻り、撮影動作を継続する。
【００６２】
上述した第１実施形態によれば、撮影前にお気に入り効果として１つ以上の画像効果を選択しておき、撮影直後の画像に対して、上記選択した１つ以上の画像効果を施すことで、１回の撮影で撮影された画像に対して、選択された画像効果を１度に施すことができる。また、撮影した画像に直接画像効果を施すことなく、そのままの状態の被写体を撮影するので、シャッターチャンスを逃しにくいという効果がある。
【００６３】
Ｂ．第２実施形態
次に、本発明の第２実施形態について説明する。なお、カメラ付き携帯電話１の構成は図１と同じであるので説明を省略する。本第２実施形態では、お気に入り効果として選択した画像効果の数に応じて、サムネイル一覧画面のレイアウトを変更することを特徴としている。すなわち、お気に入り効果として、５〜８つの画像効果が選択されている場合には、図１７に示すように、オリジナルの画像を含め、画像効果を施した画像を、３×３のレイアウトで一覧表示し、お気に入り効果として、１〜３つの画像効果が選択されている場合には、図１８に示すように、オリジナルの画像を含め、画像効果を施した画像を、２×２のレイアウトで一覧表示する。
【００６４】
上述した第２実施形態によれば、お気に入り効果として選択した画像効果の数に応じて、サムネイル一覧画面のレイアウトを変更するようにしたので、画像効果をより容易に確認することができる。
【００６５】
Ｃ．第３実施形態
次に、本発明の第３実施形態について説明する。なお、カメラ付き携帯電話１の構成は図１と同じであるので説明を省略する。本第３実施形態では、サムネイル一覧画面から任意のサムネイルを全画面表示して画像効果を確認することに加え、全画面表示において、画像効果の程度（強弱）を調整することができるようにしたことを特徴としている。
【００６６】
Ｃ−１．第３実施形態の動作
次に、本第３実施形態の動作について説明する。ここで、図１９は、本第３実施形態におけるカメラ付き携帯電話の動作（一部）を示すフローチャートである。また、図２０は、本第３実施形態によるカメラ付き携帯電話１における画面例を示す模式図である。
【００６７】
図１１に示すステップＳ７２で、表示ボタン３０５（カメラキー１０４）が操作された場合には、図１９に示すステップＳ９０へ進み、図２０に示すように、サムネイル一覧画面におけるハイライト画像を全画面表示する。本第３実施形態では、全画面表示において、図２０に示すように、画像に施されている画像効果を弱めるための効果（−）ボタン３１０（カメラキー１０４）、画像に施されている画像効果を確定するためのＯＫボタン３１１（決定キー１０７）および画像に施されている画像効果を強めるための効果（＋）ボタン３１２（アドレスキー１０８）が表示される。
【００６８】
該全画面表示においては、効果（−）ボタン３１０（カメラキー１０４）の操作が検出されたか否かを判断し（ステップＳ９２）、効果（−）ボタン３１０が操作されない場合には、効果（＋）ボタン３１２の操作が検出されたか否かを判断する（ステップＳ９４）。そして、効果（＋）ボタン３１２が操作されない場合には、ＯＫボタン３１１の操作が検出されたか否かを判断する（ステップＳ９６）。いずれのボタンも操作されない場合には、ステップＳ９０へ戻り、上述した処理を繰り返す。
【００６９】
一方、効果（−）ボタン３１０が操作された場合には、画像効果（図示の例では「セピア」）を所定の調整幅で弱くし（ステップＳ９８）、ステップＳ９０へ戻る。また、効果（＋）ボタン３１２が操作された場合には、画像効果（図示の例では「セピア」）を所定の調整幅で強くし（ステップＳ１００）、ステップＳ９０へ戻る。そして、ＯＫボタン３１１が操作された場合には、図１１に示すステップＳ６６へ戻り、前述した第１実施形態と同様の処理を繰り返す。
【００７０】
上述した第３実施形態によれば、サムネイル一覧画面から任意のサムネイルを全画面表示して画像効果を確認することに加え、全画面表示において、画像効果の程度（強弱）を調整することができる。
【００７１】
Ｄ．第４実施形態
次に、本発明の第４実施形態について説明する。なお、カメラ付き携帯電話１の構成は図１と同じであるので説明を省略する。本第４実施形態では、サムネイル一覧画面から任意のサムネイルを全画面表示する全画面表示において、画像効果を施す適用範囲を切り替えることができるようにしたことを特徴としている。
【００７２】
Ｄ−１．第４実施形態の動作
次に、本第４実施形態の動作について説明する。ここで、図２１は、本第４実施形態におけるカメラ付き携帯電話の動作（一部）を示すフローチャートである。また、図２２は、本第４実施形態によるカメラ付き携帯電話１における画面例を示す模式図である。
【００７３】
図１１に示すステップＳ７２で、表示ボタン３０５（カメラキー１０４）が操作された場合には、図２１に示すステップＳ１１０へ進み、図２２に示すように、サムネイル一覧画面におけるハイライト画像を全画面表示する。本第４実施形態では、全画面表示において、図２２に示すように、画像効果の適用範囲を確定するためのＯＫボタン３１１（決定キー１０７）および画像効果を施す適用範囲を変更するためのサイズ変更ボタン３２０（アドレスキー１０８）が表示されるとともに、画像効果の適用範囲を示す枠４００が表示される。なお、本第４実施形態では、画像効果の適用範囲を示す枠４００として、図２２に示すように、３種類用意している。
【００７４】
該全画面表示においては、サイズ変更ボタン３２０（アドレスキー１０８）の操作が検出されたか否かを判断し（ステップＳ１１２）、サイズ変更ボタン３２０が操作されない場合には、ＯＫボタン３１１の操作が検出されたか否かを判断する（ステップＳ１１４）。いずれのボタンも操作されない場合には、ステップＳ１１０へ戻り、上述した処理を繰り返す。
【００７５】
一方、サイズ変更ボタン３２０が操作された場合には、画像効果（図示の例では「セピア」）の適用範囲を切り替え（ステップＳ１１６）、切り替えた適用範囲に対して、画像効果を施し（ステップＳ１１８）、ステップＳ９０へ戻る。そして、ＯＫボタン３１１が操作された場合には、図１１に示すステップＳ６６へ戻り、前述した第１実施形態と同様の処理を繰り返す。
【００７６】
上述した第４実施形態によれば、画像効果を施す適用範囲を変更することができ、画像効果による視覚効果を向上させることができる。
【００７７】
Ｅ．第５実施形態
次に、本発明の第５実施形態について説明する。なお、カメラ付き携帯電話１の構成は図１と同じであるので説明を省略する。本第５実施形態では、サムネイル一覧画面から任意のサムネイルを全画面表示した場合、画像効果を施す適用範囲を切り替えるととともに、該適用範囲に対して施す画像効果の程度（強弱）を調整することができるようにしたことを特徴としている。
【００７８】
Ｅ−１．第５実施形態の動作
次に、本第５実施形態の動作について説明する。ここで、図２３は、本第５実施形態におけるカメラ付き携帯電話の動作（一部）を示すフローチャートである。また、図２４は、本第５実施形態によるカメラ付き携帯電話１における画面例を示す模式図である。
【００７９】
図１１に示すステップＳ７２で、表示ボタン３０５（カメラキー１０４）が操作された場合には、図２３に示すステップＳ１２０へ進み、図２４に示すように、サムネイル一覧画面におけるハイライト画像を全画面表示する。本第５実施形態では、全画面表示において、図２４に示すように、画像効果の程度（強弱）を調整する処理へ移行するための調整ボタン３２１（カメラキー１０４）、画像効果の適用範囲を確定するためのＯＫボタン３１１（決定キー１０７）および画像効果を施す適用範囲を変更するためのサイズ変更ボタン３２０（アドレスキー１０８）が表示されるとともに、画像効果の適用範囲を示す枠４００が表示される。
【００８０】
該全画面表示においては、調整ボタン３２１（カメラキー１０４）の操作が検出されたか否かを判断し（ステップＳ１２２）、調整ボタン３２１が操作されない場合には、サイズ変更ボタン３２０（アドレスキー１０８）の操作が検出されたか否かを判断し（ステップＳ１２４）、サイズ変更ボタン３２０が操作されない場合には、ＯＫボタン３１１の操作が検出されたか否かを判断する（ステップＳ１２６）。いずれのボタンも操作されない場合には、ステップＳ１２０へ戻り、上述した処理を繰り返す。
【００８１】
一方、調整ボタン３２１が操作された場合には、前述した第３実施形態で説明したように、枠４００で示される適用範囲に対して施す画像効果の程度（強弱）を調整する。また、サイズ変更ボタン３２０が操作された場合には、画像効果の適用範囲を切り替え、枠４００で示される適用範囲に対して、画像効果を施し（ステップＳ１３０）、ステップＳ１２０へ戻る。そして、ＯＫボタン３１１が操作された場合には、図１１に示すステップＳ６６へ戻り、前述した第１実施形態と同様の処理を繰り返す。
【００８２】
上述した第５実施形態によれば、画像効果を施す適用範囲を切り替えるととともに、該適用範囲に対して施す画像効果の程度（強弱）を調整することができる。
【００８３】
なお、前述した第１ないし第５実施形態では、画像効果ということで説明したが、風景、マクロ、夜景、夕暮れ等での最適な撮影状態（シャッター速度、露出、ホワイトバランスなど）を提供する、いわゆる「ベストショット」に対して、撮影後に補正することができる輝度、コントラストにバリエーションを持たせ、オリジナルの撮影画像を含め、最大９パターンの補正結果をサムネイル表示させるようにしてもよい。
【図面の簡単な説明】
【００８４】
【図１】本発明の実施形態によるカメラ付き携帯電話１の外観図（開状態：正面図、側面図）である。
【図２】カメラ付き携帯電話１の構成を示すブロック図である。
【図３】システムＲＯＭ１３２のデータ構造を示す概念図である。
【図４】ＲＡＭ１３３のデータ構造を示す概念図である。
【図５】ＲＡＭ１３５のデータ構造を示す概念図である。
【図６】プログラムＲＯＭ１３６のデータ構造を示す概念図である。
【図７】ユーザメモリ１４９のデータ構造を示す概念図である。
【図８】本第１実施形態におけるカメラ付き携帯電話の動作を示すフローチャートである。
【図９】本第１実施形態におけるカメラ付き携帯電話の動作を示すフローチャートである。
【図１０】本第１実施形態におけるカメラ付き携帯電話の動作を示すフローチャートである。
【図１１】本第１実施形態におけるカメラ付き携帯電話の動作を示すフローチャートである。
【図１２】本第１実施形態によるカメラ付き携帯電話１における画面例（メニュー画面）を示す模式図である。
【図１３】本第１実施形態によるカメラ付き携帯電話１における画面例（撮影効果選択画面）を示す模式図である。
【図１４】本第１実施形態によるカメラ付き携帯電話１における画面例（お気に入り効果選択画面）を示す模式図である。
【図１５】本第１実施形態によるカメラ付き携帯電話１における画面例（サムネイル一覧画面）を示す模式図である。
【図１６】本第１実施形態によるカメラ付き携帯電話１における画面例を示す模式図である。
【図１７】本第２実施形態によるカメラ付き携帯電話１における画面例（サムネイル一覧画面）を示す模式図である。
【図１８】本第２実施形態によるカメラ付き携帯電話１における画面例（サムネイル一覧画面）を示す模式図である。
【図１９】本第３実施形態におけるカメラ付き携帯電話の動作（一部）を示すフローチャートである。
【図２０】本第３実施形態によるカメラ付き携帯電話１における画面例を示す模式図である。
【図２１】本第４実施形態におけるカメラ付き携帯電話の動作（一部）を示すフローチャートである。
【図２２】本第４実施形態によるカメラ付き携帯電話１における画面例を示す模式図である。
【図２３】本第５実施形態におけるカメラ付き携帯電話の動作（一部）を示すフローチャートである。
【図２４】本第５実施形態によるカメラ付き携帯電話１における画面例を示す模式図である。
【符号の説明】
【００８５】
１  携帯電話
２  蓋部
３  本体部
１０１  スピーカ
１０２  メイン表示部（表示手段）
１０３  アンテナ
１０４  カメラキー
１０５  メールキー
１０６  十字キー（選択手段）
１０７  決定キー（選択手段）
１０８  アドレスキー
１０９  ネット接続キー
１１０  クリアキー
１１１  オンフックキー
１１２  オフフックキー
１１３  テンキー
１１３ｂ  シャッターキー
１１４  マイク
１１６  サブ表示部
１１７  報知用ＬＥＤ
１１８  撮像レンズ（撮像手段）
１１９  フラッシュ用ＬＥＤ
１２０  報知スピーカ
１２３  アドレスデータバス処理部
１３０  無線送受信部
１３１  通信制御部
１３１１  通信データ処理部
１３１２  オーディオインターフェース
１３２  システムＲＯＭ
１３３  ＲＡＭ
１３４  画像処理制御部（画像処理手段、表示制御手段、記憶制御手段、画像効果強弱調整手段、切替手段）
１３４１  カメラ・インターフェース
１３４２  ビデオ・グラフィック処理部
１３５  ＲＡＭ（記憶手段）
１３６  プログラムＲＯＭ
１３７  表示モジュール系ドライバ
１３８  ステップモータ
１３９  撮像デバイス（撮像手段）
１４０  カメラ内信号処理部（撮像手段）
１４２  音源ＩＣ
１４３  アンプ
１４４  コネクタ
１４６  外部インターフェースコントローラ
１４９  ユーザメモリ
１５０  ＲＡＭ
１５１  ＤＳＰ（撮像手段）
【図１】
2006074558.tif 000003
【図２】
2006074558.tif 000004
【図３】
2006074558.tif 000005
【図４】
2006074558.tif 000006
【図５】
2006074558.tif 000007
【図６】
2006074558.tif 000008
【図７】
2006074558.tif 000009
【図８】
2006074558.tif 000010
【図９】
2006074558.tif 000011
【図１０】
2006074558.tif 000012
【図１１】
2006074558.tif 000013
【図１２】
2006074558.tif 000014
【図１３】
2006074558.tif 000015
【図１４】
2006074558.tif 000016
【図１５】
2006074558.tif 000017
【図１６】
2006074558.tif 000018
【図１７】
2006074558.tif 000019
【図１８】
2006074558.tif 000020
【図１９】
2006074558.tif 000021
【図２０】
2006074558.tif 000022
【図２１】
2006074558.tif 000023
【図２２】
2006074558.tif 000024
【図２３】
2006074558.tif 000025
【図２４】
2006074558.tif 000026